(57)【要約】      （修正有）【課題】吊下げ体のセンターに、物干し本体のセンターが位置する吊下げ式の物干し具であり、屋外及び／又は浴室での使用が図れる物干し具の提供。【構成】本考案は、吸盤とフックを併設した吊下げ体と、吊下げ体に設けた可撓性の吊り紐体と、吊り紐体に設けた枠体と多数個の洗濯挾みで構成した物干し本体でなる吊下げ式の物干し具。【選択図】図１
0003115195.tif 000002
【実用新案登録請求の範囲】
【請求項１】
吸盤とフックを併設した吊下げ体と、この吊下げ体に設けた紐、リング、ワイヤ等の可撓性の吊り紐体と、この吊り紐体に設けた枠体及び／又はこの枠体に設けた多数個の洗濯挾みで構成した物干し本体とでなる吊下げ式の物干し具であって、
前記吊下げ体を構成する吸盤とフックのセンターに、前記物干し本体のセンターが位置する構成とした洗濯物用の吊下げ式の物干し具。
【請求項２】
請求項１に記載の吸盤がフックに着脱自在に設けられる構成とした洗濯物用の吊下げ式の物干し具。
【請求項３】
請求項１に記載のフックをデニム、帆布等の強靭な布地で構成し、この布地に止め具を設ける構成とした洗濯物用の吊下げ式の物干し具。
【請求項４】
請求項１に記載の紐を、前記中間の吸盤に設けた脚の孔に貫通し、この中間の吸盤を前記紐に沿って移動可能とする構成とした洗濯物用の吊下げ式の物干し具。
【請求項５】
請求項１に記載の物干し具に設けた洗濯挾みが、長短の吊り紐に設けられている構成とした洗濯物用の吊下げ式の物干し具。
【考案の詳細な説明】
【技術分野】
【０００１】
この考案は、少なくとも屋外、浴室等の屋内兼用とした洗濯物用の吊下げ式の物干し具に関する。
【背景技術】
【０００２】
従来のピンチ型、パラソル型等でなる物干し具（物干しハンガー）は、物干し竿に係止（吊下げ）、挾持等の取付け方法で使用する構成がほとんどである。従って、この構成では、主として、物干し竿、装備品の物干し用フック等を利用し、屋外、ベランダによる視認可能な状態での使用と、物干し専用空間（部屋）等による視認を避けた状態での使用等に限定されているのが現況である。従って、単純に考えれば、その使用場所（エリアー）、使用条件が限られている。
【０００３】
このような使用状態は、平常時ではさして問題ではないが、女性の場合及び／又は一人暮らしの場合等、他人の目に視認されることが望ましくない場合には、当然、何らかの処置を行う必要性がある。この必要性の一例を説明すると、視認により発生する蓋然性が高い、犯罪防止及び／又は誘引・抑制、教育上の視点、さらには美観の問題等が考えられる。
【０００４】
そして、吸盤とフックとの関係で参考となる文献が挙げられるので、その一例を説明すると、特開平５−２２００４２号の「吸盤付物掛具」（文献（１））と、実開平７−３０８５９号の「吸盤フック」（文献（２））がある。これらの文献（１）、（２）は、吸盤の吸着性の向上と、この優れた吸着性を利用し、壁等の面に吊下した状態で、この吸盤に付設したフックを利用して各種の物を吊下げ可能とする構成の吸盤構造を提供することを意図する。従って、吸盤改良に留まることは明らかである。
【０００５】
【特許文献１】特開平５−２２００４２号
【特許文献２】実開平７−３０８５９号
【考案の開示】
【考案が解決しようとする課題】
【０００６】
従来の物干し具は、晴れの日は良いが雨及び／又は風のある日にはベランダ等の屋外の使用では、濡れる弊害があること、飛散すること及び／又は一箇所に固まり、送風の効果と、日光による殺菌（消毒）効果が図れないこと等の如く、不都合があり、使用に適さないことが考えられる。また人目を避けたい洗濯物、例えば、主として女性の下着、ブラウス等、直接肌に触れる衣服類を干すには適さないこともある。
【０００７】
また文献（１）、（２）の構成のように、単にフックに吸着盤を取付けた構造では、物干し具を略平行状態で吊下げするには困難であり、またこの状態で洗濯物を干した場合には、乾燥及び／又は太陽の照射の斑が発生すること、飛散の原因となること、又は体裁がよくないこと等の弊害が考えられる。
【０００８】
このフックによる物干し具は、浴室に引掛け用のつっぱり棒、備付け棒等の棒材がある場合は、屋外と同様な使用が可能であるが、この棒材がない場合には、大変困ることは明らかである。
【０００９】
上記に鑑み、本考案は、同じ構成の吊下げ式の物干し具で、従来通り屋外での使用と、又は棒材がない浴室での使用とが可能な構成とすること、又は浴室での使用の際に、簡易に着脱ができ、かつ収容の容易な吊下げ式の物干し具を提供することを意図する。そして、人目を避けることが好ましい洗濯物の干し具として有益な構造を提供することを意図する。さらに本考案は、洗濯物の干し具としての有効性、利便性、又は汎用性に優れた物干し具を提供すること、さらに浴室等の狭い空間を有効に利用し、洗濯物を効率よく乾燥・消毒し、また風及び／又は光が通り易い物干し具を提供することを意図する。
【課題を解決するための手段】
【００１０】
請求項１の考案は、同じ構成の吊下げ式の物干し具で、屋外又は棒材がない浴室での使用が可能な構成とすること、又は浴室での使用の際に、簡易に着脱ができ、かつ収容の容易な吊下げ式の物干し具を提供することを意図する。そして、人目を避けることが好ましい洗濯物の干し具として有益な構造を提供することを意図する。さらに請求項１の考案は、洗濯物の干し具としての有効性・利便性、又は汎用性に優れた物干し具を提供すること、さらに浴室等の狭い空間を有効に利用し、洗濯物を効率よく乾燥・消毒し、また風及び／又は光が通り易い物干し具を提供することを意図する。
【００１１】
請求項１は、吸盤とフックを併設した吊下げ体と、この吊下げ体に設けた紐、リング、ワイヤ等の可撓性の吊り紐体と、この吊り紐体に設けた枠体及び／又はこの枠体に設けた多数個の洗濯挾みで構成した吊下げ式の物干し具であって、
前記吊下げ体を構成する吸盤とフックのセンターに、前記物干し本体のセンターが位置する構成とした洗濯物用の吊下げ式の物干し具である。
【００１２】
請求項２の考案は、請求項１の目的を達成すること、またこの請求項１の目的を達成するのに最適な吸盤及び／又はフックを提供することを意図する。
【００１３】
請求項２は、請求項１に記載の吸盤がフックに着脱自在に設けられる構成とした洗濯物用の吊下げ式の物干し具である。
【００１４】
請求項３の考案は、請求項１の目的を達成すること、またこの請求項１の目的を達成するのに最適なフックを提供することを意図する。
【００１５】
請求項３は、請求項１に記載のフックをデニム、帆布等の強靭な布地で構成し、この布地に止め具を設ける構成とした洗濯物用の吊下げ式の物干し具である。
【００１６】
請求項４の考案は、請求項１の目的を達成すること、またこの請求項１の目的を達成するのに最適な紐及び／又は吸盤を提供することを意図する。
【００１７】
請求項４は、請求項１に記載の紐を、前記中間の吸盤に設けた脚の孔に貫通し、この中間の吸盤を前記紐に沿って移動可能とする構成とした洗濯物用の吊下げ式の物干し具である。
【００１８】
請求項５の考案は、請求項１の目的を達成すること、またこの請求項１の目的を達成するのに最適な洗濯挾みを提供することを意図する。
【００１９】
請求項５は、請求項１に記載の物干し具に設けた洗濯挾みが、長短の吊り紐に設けられている構成とした洗濯物用の吊下げ式の物干し具である。
【考案の効果】
【００２０】
請求項１の考案は、吸盤とフックを併設した吊下げ体と、吊下げ体に設けた紐、リング、ワイヤ等の可撓性の吊り紐体と、吊り紐体に設けた枠体及び／又は枠体に設けた多数個の洗濯挾みで構成した物干し本体とでなる吊下げ式の物干し具であって、
吊下げ体を構成する吸盤とフックのセンターに、物干し本体のセンターが位置する構成とした洗濯物用の吊下げ式の物干し具である。
【００２１】
従って、請求項１は、同じ構成の吊下げ式の物干し具で、屋外又は棒材がない浴室での使用が可能な構成とすること、又は浴室での使用の際に、簡易に着脱ができ、かつ収容の容易な吊下げ式の物干し具を提供できること等の特徴を有する。そして、人目を避けることが好ましい洗濯物の干し具として有益な構造を提供できること等の実益を有する。さらに請求項１は、洗濯物の干し具としての有効性、利便性、又は汎用性に優れた物干し具を提供すること、さらに浴室等の狭い空間を有効に利用し、洗濯物を効率よく乾燥・消毒し、また風及び／又は光が通り易い物干し具を提供できること等の特徴を有する。
【００２２】
請求項２の考案は、請求項１に記載の吸盤がフックに着脱自在に設けられる構成とした洗濯物用の吊下げ式の物干し具である。
【００２３】
従って、請求項２は、請求項１の目的を達成できること、またこの請求項１の目的を達成するのに最適な吸盤及び／又はフックを提供できること等の特徴を有する。
【００２４】
請求項３の考案は、請求項１に記載のフックをデニム、帆布等の強靭な布地で構成し、布地に止め具を設ける構成とした洗濯物用の吊下げ式の物干し具である。
【００２５】
従って、請求項３は、請求項１の目的を達成できること、またこの請求項１の目的を達成するのに最適なフックを提供できること等の特徴を有する。
【００２６】
請求項４の考案は、請求項１に記載の紐を、中間の吸盤に設けた脚の孔に貫通し、中間の吸盤を紐に沿って移動可能とする構成とした洗濯物用の吊下げ式の物干し具である。
【００２７】
従って、請求項４は、請求項１の目的を達成できること、またこの請求項１の目的を達成するのに最適な吸盤を提供できること等の特徴を有する。
【００２８】
請求項５の考案は、請求項１に記載の物干し具に設けた洗濯挾みが、長短の吊り紐に設けられている構成とした洗濯物用の吊下げ式の物干し具である。
【００２９】
従って、請求項５は、請求項１の目的を達成できること、またこの請求項１の目的を達成するのに最適な洗濯挾みを提供できること等の特徴を有する。
【考案を実施するための最良の形態】
【００３０】
本考案の各例を図面を参照して説明する。
先ず、本考案の図面の説明をすると、図１は本考案の第一実施例であり、フックを利用して竿に物干し具を吊下した状態の全体斜視図、図２は本考案の第一実施例であり、吸盤を利用して浴室等の建屋の天井、壁等の取付面（天井とする）に物干し具を吊下した状態の全体斜視図、図３−１は洗濯挾みの一例であり、紐の短い例を示した正面図、図３−２は洗濯挾みの一例であり、紐の長い例を示した正面図、図４は図３−１、図３−２で示した長短の紐の洗濯挾みを採用した物干し具の全体斜視図、図５は第二実施例の要部を示した斜視図、図６は第三実施例の要部を示した断面図、図７は第四実施例の全体斜視図である。
【００３１】
次に好ましい各例を示し、詳細に説明する。先ず、図１、図２に示したフック１と吸盤３の基本的な構造である第一実施例において、フック１をこの例では略Ｃ型とし、本体部１０２と、この本体部１０２の少なくとも上部に折曲げ部１００を、下部に吊り紐体２を係止するための係止部１０１を有する。そして、このフック１の本体部１０２に吸盤３が固止されている。尚、フック１の折曲げ部１００の中心の延長線上Ｈに位置する係止部１０１の係止箇所には、前記吊り紐体２が位置する構成とし、後述する物干し本体（物干し具）の重心（センター）と符合する構造とする。この符合によって、この物干し本体の水平状態での吊下げ可能とし、前述の如く、洗濯物Ｗを効率よく乾燥・消毒し、また風及び／又は光が通り易い干し方を確保できる特徴がある。そして、折曲げ部１００には竿５との馴染みをよくする手段（凹部１００ａ）を設けることもあり得る。また図５に示した第二実施例では、フック１を対とし、このフック１の適所に天井５００・外壁面への取付けを意図する吸盤３を設けた構成であり、竿５にフック１及び／又は物干し具を確実に係止すること、また物干し本体を略水平状態に確保すること、物干し本体の飛散防止、或いは洗濯物Ｗの乾燥等の効率化等を図ることを意図する。また図６の第三実施例は、フック１に設けた孔１０３に吸盤３が着脱自在（挿脱自在）とし、フック１及び／又は吸盤３の多用途的な使用を意図する。また双方の使用での飛散防止、安定性の向上等を意図する。そして、望ましくは、フック１と吸盤３を長短の吊り紐６で連繋することで、フック１及び／又は吸盤３の収容、保管等の容易化、簡便化、吊下げ方法の多用途化（竿５及び／又は天井５００・外壁面への個別、併用係止）が考えられる。また図７の第四実施例は、フック１をデニム、帆布等の強靭な布地１０４で構成し、止め具１０５を設けた一例であり、嗜好性と、吊下げの安定性及び／又は飛散防止等を意図する。
【００３２】
図中８は方形状の枠体８００（枠体８００の形状と、形態等は限定されない）とこの枠体８００に設けた洗濯挾み８０１で構成した物干し本体で、この物干し本体８はフック１の係止部１０１に設けた複数の吊り紐体２を介して設けられており、フック１及び／又は吸盤３の中心位置に設ける構成とする。このように物干し本体８の中心（重心）を、このフック１及び／又は吸盤３の中心位置に設け、物干し具を竿５に係止することで、例えば、物干し本体８の略水平状態での使用が図れること、洗濯物Ｗを安定して干せること、仮に片側に洗濯物Ｗを干しても傾かないこと等の有効性がある。そして、この洗濯挾み８０１は長短の吊り紐８０１ａを備えており、枠体８００に係止した際に、図４に示すように段差Ａを形成し、洗濯物Ｗ間に隙間（図示せず）を設ける構成とし、洗濯物Ｗの乾燥の促進と、絡み防止、送風及び／又は太陽の照射等の確保と、清澄化等を図ることを意図する。そして、この吊り紐８０１ａは枠体８００に係止及び／又は脱外可能である。
【００３３】
本考案では、物干し具本体８を、竿５及び／又は天井５００等にフック１及び／又は吸盤３で吊下げた場合に、図１、図２で示した如く、この物干し具本体８の中心（重心）が、フック１及び／又は吸盤３の吊下げ位置（重心）にあることを要旨とする。また洗濯物Ｗの干し方、物干し具の吊下げ、収容等は従来と略同様である。
【００３４】
そして、本考案では、フック１及び／又は吸盤３を選択使用することで、晴れの日には通常通り竿５にフック１を引掛けて使用でき、雨の日又は外やベランダに干しにくい女性の下着等の衣服を干す場合は浴室の天井５００等の室内に吸盤３で取付けて使用することが可能であり、重宝すること、犯罪防止等に有効である。また図示しないが、フック１は挾持式、差込み式等の形態もあり得る。
【図面の簡単な説明】
【００３５】
【図１】図１は本考案の第一実施例であり、フックを利用して竿に物干し具を吊下した状態の全体斜視図
【図２】図２は本考案の第一実施例であり、吸盤を利用して浴室等の建屋の天井、壁等の取付面（天井とする）に物干し具を吊下した状態の全体斜視図
【図３−１】図３−１は洗濯挾みの一例であり、紐の短い例を示した正面図
【図３−２】図３−２は洗濯挾みの一例であり、紐の長い例を示した正面図
【図４】図４は図３−１、図３−２で示した長短の紐の洗濯挾みを採用した物干し具の全体斜視図
【図５】図５は第二実施例の要部を示した斜視図
【図６】図６は第三実施例の要部を示した断面図
【図７】図７は第四実施例の全体斜視図
【符号の説明】
【００３６】
１          フック
１００      折曲げ部
１００ａ    凹部
１０１      係止部
１０２      本体部
１０３      孔
１０４      布地
１０５      止め具
２          吊り紐体
３          吸盤
５          竿
５００      天井
６          取付け紐
８          物干し本体
８００      枠体
８０１      洗濯挾み
８０１ａ    吊り紐
Ａ          段差
Ｈ          延長線上
Ｗ          洗濯物
【図１】
0003115195.tif 000003
【図２】
0003115195.tif 000004
【図３−１】
0003115195.tif 000005
【図３−２】
0003115195.tif 000006
【図４】
0003115195.tif 000007
【図５】
0003115195.tif 000008
【図６】
0003115195.tif 000009
【図７】
0003115195.tif 000010